(57)【特許請求の範囲】
【請求項１】
ケース内に回動自在に配設され，ばねにより常時オフ位置の方向に付勢されたハンドルと、一端に係合部を設け、他端には前記ハンドルとリンクを介して連結するリンク取付け部を設けた押さえ部材と、前記押さえ部材の係合部と係脱可能に回動自在に設けられ、前記押さえ部材の方向にばね付勢された作動板と、ケースに固定され固定接点を設けた固定接触子と、前記固定接点と対向して配設され可動接点を設けた可動接触子と、可動接点が固定接点から開離する方向に常時付勢され、前記押さえ部材の係合部と作動板が係合した状態において、ハンドルをオフ位置からオン位置に回動することにより前記係合部を支点としてハンドルに設けられたリンクに押圧されて回動動作する押さえ部材と該押さえ部材の動作に連動して、前記可動接触子を装着保持し可動接点が固定接点に対し接離するよう回動し、互いの極の可動接触子が回動部材から延出する方向を、回動中心に対して略対称的とし、可動接触子の動作と連動する回動部材と、を含んで構成される２極回路遮断器において、前記可動接点と前記固定接点とが溶着した状態で、前記作動板と前記押さえ部材の係合が解除された場合、前記ハンドルがオン位置からオフ位置へ移動する際に、前記ハンドルがオン位置とオフ位置の中間位置で停止するよう、連係部材を前記押さえ部材の係合部とリンク取付け部の間と、回動部材の間に設け、ハンドルがオン位置からオフ位置へ移動する際にハンドルに設けられたリンクにより前記押さえ部材が、前記連係部材の取付け部を支点として行う回動動作を妨げるように押さえ部材の係合部を保持する回動防止部を作動板に設けたことを特徴とする回路遮断器。
【発明の詳細な説明】
【０００１】
【発明の属する技術分野】
本件の発明は回路遮断器に係り、特に接点溶着位置表示機能を有する回路遮断器に関する。
【０００２】
【従来の技術】
従来の回路遮断器は、例えば、ケースと、ハンドルと、ケースに固定され固定接点を設けた固定接触子と、固定接点と対向して配置される可動接点を設けた可動接触子と、電路の過電流または短絡電流等の異常電流で前記可動接点を固定接点から開極させる引外し装置と、前記ハンドルにリンクを介して連結され、引外し装置との係合部を設けた押さえ部材と、前記押さえ部材に押圧されるクロスバーと、クロスバーにより押圧され弾性的に振舞う可動接触子とを有し、操作ハンドルの操作により前記可動接点と固定接点を開閉駆動するとともに前記引き外し装置が作用した場合は操作ハンドルによる接点閉操作拘束の有無に関わらず接点を強制開極するような構成になっている。
【０００３】
【発明が解決しようとする課題】
しかしながら、異常電流で接点が強制開極された場合、ハンドルにリンクを介して連結され、引外し装置との係合部を設けた押さえ部材と、前記押さえ部材に押圧されるクロスバーと、クロスバーにより押圧され弾性的に振舞う可動接触子の機構が、完全に分離する構成であったため、異常電流において前記引外し装置と押さえ部材の係合が外れ、可動接触子が固定接触子に溶着した場合でも、ハンドルはオフ位置に移動する構造になっていた。したがって、接点が溶着状態でもハンドルはオフ状態となるので使用者にとってはハンドルの位置がオフ位置にあるときには接点が開極状態であるという誤認を生じさせる可能性があり、安全性の低下につながっていた。
【０００４】
そこで本件の発明の目的とするところは、接点の溶着状態をハンドルの位置により表示させることで使用者への誤認を防止し、安全性が向上した回路遮断器を提供することにある。また、２つの可動接点が、回動動作するクロスバーの回動中心から略対称的に反対方向に延出するような構成を有する薄型の２極回路遮断器において、同様の効果を有する回路遮断器を提供することにある。
【０００５】
削除
【０００６】
【課題を解決しようとするための手段】
上述の目的を達成するため、請求項１は、ケース内に回動自在に配設され，ばねにより常時オフ位置の方向に付勢されたハンドルと、一端に係合部を設け、他端には前記ハンドルとリンクを介して連結するリンク取付け部を設けた押さえ部材と、前記押さえ部材の係合部と係脱可能に回動自在に設けられ、前記押さえ部材の方向にばね付勢された作動板と、ケースに固定され固定接点を設けた固定接触子と、前記固定接点と対向して配設され可動接点を設けた可動接触子と、可動接点が固定接点から開離する方向に常時付勢され、前記押さえ部材の係合部と作動板が係合した状態において、ハンドルをオフ位置からオン位置に回動することにより前記係合部を支点としてハンドルに設けられたリンクに押圧されて回動動作する押さえ部材と該押さえ部材の動作に連動して、前記可動接触子を装着保持し可動接点が固定接点に対し接離するよう回動し、互いの極の可動接触子が回動部材から延出する方向を、回動中心に対して略対称的とし、可動接触子の動作と連動する回動部材と、を含んで構成される２極回路遮断器において、前記可動接点と前記固定接点とが溶着した状態で、前記作動板と前記押さえ部材の係合が解除された場合、前記ハンドルがオン位置からオフ位置へ移動する際に、前記ハンドルがオン位置とオフ位置の中間位置で停止するよう、連係部材を前記押さえ部材の係合部とリンク取付け部との間と、回動部材の間に設け、ハンドルがオン位置からオフ位置へ移動する際にハンドルに設けられたリンクにより前記押さえ部材が、前記連係部材の取付け部を支点として行う回動動作を妨げるように押さえ部材の係合部を保持する回動防止部を作動板に設けたものである。
【０００７】
【発明の実施の形態】
次に一実施例を図面にて詳細に説明する。図１は一実施例の回路遮断器がオン時の構造線図を示したものであり、図２はオフ時の構造線図を示したものである。図３は接点が溶着している状態で，異常電流により作動板と，押さえ部材との係合が外れた状態において，ハンドルがオンとオフの間に位置する場合の構造線図を示したものである。
【０００８】
図１から図３における回路遮断器はハンドル１０１と、押さえ部材１０３と、ハンドル１０１と押さえ部材１０３とを連結するリンク１０２と、固定接触子１０５と、固定接点１０７と、可動接触子１０９と、可動接点１１１と、クロスバー１１３と、作動板１０４と、押さえ部材１０３とクロスバー１１３とを連係させる連係部材１１４とを含んで構成されている。
【０００９】
ハンドル１０１は、ケース内に回動自在に配設され、ばねにより常時オフ位置の方向に付勢されているとともに，リンク１０２によって押さえ部材１０３と連係されている。押さえ部材１０３は一端に作動板１０４と係合するための係合部１０３０２を設け、他端にはクロスバー１１３と押さえ部材１０３とを連係させる連係部材１１４を取付ける連係部材取付け部１０３０３を設け、係合部１０３０２と連係部材取付け部１０３０３との間にハンドル１０１と連係するリンク１０２の取付け部１０３０１を設けている。
【００１０】
可動接点１１１は固定接点１０７から開離する方向に常時付勢されていて、クロスバー１１３は、同方向に付勢される。前記押さえ部材１０３の係合部１０３０２と作動板１０４が係合した状態において、ハンドル１０１を図１のオン位置から図２のオフ位置に回動することによりリンク１０２を介して押さえ部材１０３は前記係合部１０３０２を支点として図の時計廻りに回動し、該押さえ部材１０３の動作に連動して連係材料１１４とクロスバー１１３が動作し、前記可動接触子１０９が固定接触子１０５から開離する。
【００１１】
連係部材１１４は、押さえ部材１０３とクロスバー１１３とを連動して動作させるために設けられた部材で、オン時、オフ時に押さえ部材１０３とクロスバー１１３の動作を連係させるとともに、接点溶着時には押さえ部材１０３の動きを規制する役割を持つ。
【００１２】
次に図２のオフ時から図１のオン時への動作を説明する。図２において、作動板１０４と押さえ部材１０３は係合している。ハンドル１０１を図２のオフ位置から図１のオン位置へ回動していくと、ハンドル１０１とリンク１０２の取付け部は、ハンドル１０１の回動方向に沿って回動していく。リンク１０２は押さえ部材１０３と連係されているために押さえ部材１０３を押圧するが、押さえ部材１０３は、作動板１０４と係合しているために係合部１０３０２を支点として図の半時計廻りに回動動作する。結果、押さえ部材１０３の連係部材取付け部１０３０３は連係部材１１４を押し下げるように動作し、連係部材１１４に連係されたクロスバーも連動して押圧され可動接触子１０９を押し下げるように動作し、可動接点１１１と固定接点１０７を開極付勢せしめる。なお、以上の説明において、リンク取付け部１０３０１と、クロスバー１１３は、図示しない器体などにより、図１のガイド１１５、１１６のように動き方向を規制されている。また、クロスバーと可動接触子１０９は図示しない係合が成されて、連動するよう構成してある。
【００１３】
図３には前記可動接点１１１と前記固定接点１０７が溶着した状態を示した。この状態においてはクロスバー１１３は前記可動接触子１０９と連動するよう構成してあるので、その位置を変えることができない。ハンドル１０１は常時ばねにてオフ位置の方向に付勢されているために図２のオフ位置の方向に回動しようとし、ハンドル１０１と連結されたリンク１０２はハンドルの回動方向に沿って引き上げられる方向に動作しようとするが、連係部材はクロスバー１１３に連動するので、押さえ部材１０３は連係部材取付け部１０３０３を支点として図の反時計方向に回動動作を行うように力を受けるが、押さえ部材１０３の係合部１０３０２は作動板１０４に設けられた回動防止部１０４０１の位置まで回動動作し、回動防止部１０４０１と接触した時点で回動動作は規制されるためにハンドル１０１はオフ方向への回動動作を規制され、オン位置とオフ位置の間で停止する状態になる。
【００１４】
ここで連係部材１１３と回動防止部１０４０１がない場合には、押さえ部材１０３の動作を規制するものがないために、ハンドルばねがハンドル１０１をオフ方向へ付勢する力によってハンドルはオフ位置にまで回動する。
【００１５】
したがって本実施例においては接点が溶着した場合にはハンドル１０１はオン位置とオフ位置の間に停止することが可能となる。
【００１６】
次に本発明の第一実施例を図面にて詳細に説明する。第一実施例は、回動するクロスバーにその回動中心に対し略対称的に延出する二つの可動接触子を有するような特異な構造の２極遮断器の例である。図４は本件発明第二実施例の回路遮断器がオフ時の概略構造を示したものであり、図５はオン時の概略構造を示したものである。図６は接点が溶着している状態で，異常電流により作動板と、押さえ部材との係合が外れた状態において、ハンドルがオンとオフの間に位置する場合の概略構造を示したものである。
【００１７】
図４において、この回路遮断器はハンドル１と、押さえ部材３と、ハンドル１と押さえ部材３とを連結するリンク２と、固定接触子５、６と、固定接点７、８と、可動接触子９、１０と、可動接点１１、１２と、回動部材１３と、作動板４と、押さえ部材３と回動部材１３とを連係させる連係部材１４とを含んで構成されている。
【００１８】
ケース内に回動自在に配設され、ばねにより図４の常時オフ位置の方向に付勢されたハンドル１は、リンク２によって押さえ部材３と連係されている。押さえ部材３は一端に作動板４と係合するための係合部３０２を設け、他端にはハンドル１と連係するリンク２の取付け部３０１を設け、その間に連係部材１４を取付ける連係部材取付け部３０３を設けている。連係部材１４は、押さえ部材３の連動部材取付け部３０３と回動部材１３間に取付けられる。
【００１９】
回動部材１３は、可動接点１１、１２が固定接点７、８から開離する方向に常時付勢され、前記押さえ部材３の係合部３０２と作動板４が係合した状態において、ハンドル１を図５のオン位置から図４のオフ位置に回動すると押さえ部材３が前記係合部３０２を支点としてハンドル１に連動するリンク２により、図の反時計方向に回動することと、および回動部材１３が開極方向に付勢されていることにより、前記可動接触子９、１０は固定接触子５、８から開離する。
【００２０】
連係部材１４は、押さえ部材３と回動部材１３とを連動して動作させるために設けられた部材で、オン時、オフ時、及び接点溶着時において、押さえ部材３と回動部材１３の動作を連係させるとともに、接点溶着時には押さえ部材３の動きを規制する役割を持つ。
【００２１】
次に図４のオフ時から図５のオン時への動作を説明する。図４において、作動板４と押さえ部材３は係合している。ハンドル１を図４のオフ位置から図５のオン位置へ回動していくと、ハンドル１とリンク２の取付け部も回動していく。リンク２は押さえ部材３と連係されているために押さえ部材３を押圧するが、押さえ部材３は作動板４と係合しているために、係合部３０２を支点として図の時計廻りに回動動作する。結果、押さえ部材３の連係部材取付け部３０３は連係部材１４を押し下げるように動作し、連係部材１４に連係された回動部材１３も連動して、接点間隔が狭まる方向に回動し、可動接点１１、１２と固定接点７、８を接触付勢せしめる。
図４と図５に示す構造の回路遮断器は、回動部材１３の回動軸を中心として可動接触子９と１０が、対称的に延出しているために、遮断器の厚みが、可動接触子１極分の厚さで済んで薄型の２極遮断器を構成するのに適当な構造をしている。
【００２２】
図６には異常電流によって前記可動接点１１、１２と前記固定接点７、８が溶着した状態で、作動板４の係合が外れた状態を示した。この状態においては回動部材１３は前記可動接触子９、１０と固定接触子５、８とを開極位置に付勢する方向に回動付勢されるが、接点が溶着しているために回動部材１３はその位置を変えることができない。ハンドル１は常時ばねにてオフ位置の方向に付勢されているためにオフ位置の方向に回動しようとし、ハンドル１と連結されたリンク２はハンドルの回動方向に沿って引き上げられる方向に動作し、押さえ部材３は連係部材取付け部３０３を回動軸として回動動作を行う方向に力を受ける。結果、係合部３０２は図の下方向へ回転を行い、リンク取付け部３０１は図の上方向へ回転を行おうとするが、押さえ部材３の係合部３０２は作動板４に設けられた回動防止部４０１の位置まで回動動作し、回動防止部４０１と接触した時点で回動動作は規制される。連係部材取付け部３０３と、回動防止部４０１により回動動作が規制されるため、押さえ部材３の位置は固定される。したがって、ハンドル１はオフ方向への回動動作を中途で規制され、オン位置とオフ位置の間で停止する状態になる。
【００２３】
ここで回動防止部４０１がない場合には、押さえ部材３の動作を規制するものがないために、ハンドルばねがハンドル１をオフ方向へ付勢する力によってハンドルはオフ位置にまで回動する。
【００２４】
したがって本実施例において接点が溶着した場合にはハンドル１はオン位置とオフ位置の間に停止することを可能とできるものである。
【００２５】
なお，図４から図６の回動部材１３を用いた実施例において、連携部材１４は、押さえ部材３の動作を回動部材１３に連携するために、すなわちハンドル１の操作で接点を開閉するために必要不可欠な部品であり、本発明の目的である接点が溶着した場合のハンドル位置表示の有無に関わらず必要な部品であるから、作動板４に回動防止部４０１を追加するのみで、コストアップなしで接点が溶着した場合のハンドル位置による溶着表示が可能となるものである。
【００２６】
【発明の効果】
本実施例の請求項１の回路遮断器によれば、異常電流により作動板と押さえ部材の係合部が外れ、可動接点が固定接点に溶着していた場合、押さえ部材の係合部が、作動板の回動防止部に当接し、かつ、連係部材により回動部材と押さえ部材が連係されているために、ハンドルはオフ位置にまで移動することができず、オン位置とオフ位置の中間位置に停止する。したがって、ハンドルの位置により接点溶着を使用者が認識でき、安全性が向上した回路遮断器を提供できるという効果がある。
【図面の簡単な説明】
【図１】  一実施例におけるＯＮ（接点閉）時の構造線図
【図２】  一実施例におけるＯＦＦ（接点開）時の構造線図
【図３】  一実施例における接点溶着時の構造線図
【図４】  本件発明の第一実施例におけるＯＦＦ（接点開）時の構造図
【図５】  本件発明の第一実施例におけるＯＮ（接点閉）時の構造図
【図６】  本件発明の第一実施例における接点溶着時の構造図
【符号の説明】
１   ハンドル
２   リンク
３   押さえ部材
３０１  リンク取付け部
３０２  係合部
３０３  連係部材取付け部
４   作動板
４０１  回動防止部
５   固定接触子
６   固定接触子
７   固定接点
８   固定接点
９  可動接触子
１０  可動接触子
１１，１１１  可動接点
１２  可動接点
１３  回動部材
１４  連係部材
１０１   ハンドル
１０２   リンク
１０３   押さえ部材
１０３０１  リンク取付け部
１０３０２  係合部
１０３０３  連係部材取付け部
１０４   作動板
１０４０１  回動防止部
１０５   固定接触子
１０７   固定接点
１０９  可動接触子
１１１  可動接点
１１３  クロスバー
１１４  連係部材
【図１】
0004545298.tif 000002
【図２】
0004545298.tif 000003
【図３】
0004545298.tif 000004
【図４】
0004545298.tif 000005
【図５】
0004545298.tif 000006
【図６】
0004545298.tif 000007